(57)【要約】      （修正有）【課題】被記録媒体のインク受容量を超えることなく、耐光性に優れた無彩色を記録可能なインクジェット記録用水性ブラックインクを提供する。【解決手段】着色剤および水を含むインクジェット記録用水性ブラックインクであって、前記着色剤が、ジスアゾイエロー染料（Ｙ）、モノアゾマゼンタ染料（Ｍ）およびフタロシアニン系染料（Ｃ）を含み、前記染料（Ｙ）、前記染料（Ｍ）および前記フタロシアニン系染料（Ｃ）が、それぞれ、下記（ａ）および（ｂ）の条件を満たすように配合されていることを特徴とする。（ａ）Ｙ：Ｍ（重量比）＝２：３〜３：２（ｂ）（Ｙ＋Ｍ）：Ｃ（重量比）＝２：１〜２：３【選択図】なし【特許請求の範囲】
【請求項１】
着色剤および水を含むインクジェット記録用水性ブラックインクであって、
前記着色剤が、イエロー染料、マゼンタ染料およびシアン染料を含み、
前記イエロー染料が、一般式（１）で表される染料（Ｙ）を含み、
前記マゼンタ染料が、一般式（２）で表される染料（Ｍ）を含み、
前記シアン染料が、フタロシアニン系染料（Ｃ）を含み、
前記染料（Ｙ）、前記染料（Ｍ）および前記フタロシアニン系染料（Ｃ）が、それぞれ、下記（ａ）および（ｂ）の条件を満たすように配合されていることを特徴とするインクジェット記録用水性ブラックインク。
（ａ）  Ｙ：Ｍ（重量比）＝２：３〜３：２
（ｂ）  （Ｙ＋Ｍ）：Ｃ（重量比）＝２：１〜２：３
【化１】
2010100745.tif 000024
一般式（１）において、
Ｒ１、Ｒ２、Ｙ１およびＹ２は、それぞれ、一価の基であり、Ｒ１、Ｒ２、Ｙ１およびＹ２は同一でも異なっていてもよく、
Ｘ１およびＸ２は、それぞれ、電子吸引性基であり、Ｘ１およびＸ２は同一でも異なっていてもよく、
Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよく、
Ｍは、水素原子またはカチオンである。
【化２】
2010100745.tif 000025
一般式（２）において、
Ｒ１１は、水素原子、置換または無置換のアルキル基、置換または無置換のアリール基であり、
Ｒ１２は、水素原子、ハロゲン原子またはシアノ基であり、
Ｒ１３は、水素原子、置換または無置換のアルキル基、置換または無置換のアリール基、置換または無置換のヘテロ環基であり、
Ｒ１４、Ｒ１５、Ｒ１６およびＲ１７は、それぞれ、水素原子、置換または無置換のアルキル基、置換または無置換のアリール基、置換または無置換のヘテロ環基、置換または無置換のスルホニル基、置換または無置換のアシル基であり、Ｒ１４、Ｒ１５、Ｒ１６およびＲ１７は同一でも異なっていてもよいが、Ｒ１４とＲ１５が共に水素原子であることはなく、Ｒ１６とＲ１７が共に水素原子であることはなく、
Ａ１およびＡ２は、双方が置換または無置換の炭素原子であるか、若しくは一方が置換または無置換の炭素原子であり、かつ、他方が窒素原子である。
【請求項２】
写真光沢紙にＯＤ値０．４〜０．６となるように記録した場合、彩度Ｃ＊が１５以下である請求項１記載のインクジェット記録用水性ブラックインク。
【請求項３】
前記フタロシアニン系染料（Ｃ）が、一般式（３）で表される染料を含む請求項１または２記載のインクジェット記録用水性ブラックインク。
【化３】
2010100745.tif 000026
一般式（３）において、
Ｐｃ（Ｃｕ）は、一般式（Ｐｃ）で表される銅フタロシアニン核であり、
Ｒ３１、Ｒ３２、Ｒ３３およびＲ３４は、それぞれ、−ＳＯ２Ｒａ、−ＳＯ２ＮＲｂＲｃおよび−ＣＯ２Ｒａからなる群から選択される置換基であり、Ｒ３１、Ｒ３２、Ｒ３３およびＲ３４のすべてが同一であることはなく、Ｒ３１、Ｒ３２、Ｒ３３およびＲ３４の少なくとも一つは、イオン性親水性基を置換基として有し、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在し、Ｒａは、置換または無置換のアルキル基であり、Ｒｂは、水素原子、置換または無置換のアルキル基であり、Ｒｃは、置換または無置換のアルキル基であり、
ｋは、０＜ｋ＜８を満たす整数であり、ｌは、０＜ｌ＜８を満たす整数であり、ｍは、０≦ｍ＜８を満たす整数であり、ｎは、０≦ｎ＜８を満たす整数であり、かつ、ｋ、ｌ、ｍおよびｎは、４≦ｋ＋ｌ＋ｍ＋ｎ≦８を満たす整数である。
【化４】
2010100745.tif 000027
【請求項４】
前記フタロシアニン系染料（Ｃ）が、Ｃ．Ｉ．ダイレクトブルー１９９、Ｃ．Ｉ．ダイレクトブルー８６およびＣ．Ｉ．ダイレクトブルー３０７からなる群から選択される少なくとも一つの染料を含む請求項１〜３のいずれか一項に記載のインクジェット記録用水性ブラックインク。
【請求項５】
インクジェット記録用水性ブラックインクを含むインクカートリッジであって、前記インクが、請求項１〜４のいずれか一項に記載のインクジェット記録用水性ブラックインクであることを特徴とするインクカートリッジ。
【請求項６】
インク収容部およびインク吐出手段を含み、前記インク収容部に収容されたインクを前記インク吐出手段によって吐出するインクジェット記録装置であって、前記インク収容部が、請求項５記載のインクカートリッジを含むことを特徴とするインクジェット記録装置。
【発明の詳細な説明】
【技術分野】
【０００１】
本発明は、インクジェット記録用水性ブラックインク、インクカートリッジおよびインクジェット記録装置に関する。
【背景技術】
【０００２】
従来から、インクジェット記録用水性ブラックインクとして、ブラック染料および水を含むインクが汎用されている。さらに、色相の改良を目的に、前記ブラック染料に、イエロー、マゼンタおよびシアン等の他の色の染料を組み合わせた水性ブラックインクが各種提案されている（特許文献１〜５）。しかし、これらの水性ブラックインクは、耐光性が充分ではない。
【０００３】
また、インクジェット記録では、無彩色（例えば、ブラック（黒色）からグレー（灰色）のグラデーション範囲内の色）を、記録時に被記録媒体上でイエロー、マゼンタおよびシアンの三原色のカラーインクを混合することで形成することが広く行われている。しかし、この方法では、濃いブラックを記録する場合、前記三原色のカラーインクの合計吐出量が、前記被記録媒体のインク受容量を超えてしまうことがある。このため、無彩色の記録には、水性ブラックインクを用いることが望ましい。
【０００４】
【特許文献１】特開２００１−１０６９４６号公報
【特許文献２】特開平９−１３７１０１号公報
【特許文献３】特開２００５−３６１６４号公報
【特許文献４】特開２００６−２８２６１号公報
【特許文献５】特開２００６−２２５５５８号公報
【発明の開示】
【発明が解決しようとする課題】
【０００５】
そこで、本発明は、被記録媒体のインク受容量を超えることなく、耐光性に優れた無彩色を記録可能なインクジェット記録用水性ブラックインクを提供することを目的とする。
【課題を解決するための手段】
【０００６】
前記目的を達成するために、本発明のインクジェット記録用水性ブラックインクは、
着色剤および水を含むインクジェット記録用水性ブラックインクであって、
前記着色剤が、イエロー染料、マゼンタ染料およびシアン染料を含み、
前記イエロー染料が、一般式（１）で表される染料（Ｙ）を含み、
前記マゼンタ染料が、一般式（２）で表される染料（Ｍ）を含み、
前記シアン染料が、フタロシアニン系染料（Ｃ）を含み、
前記染料（Ｙ）、前記染料（Ｍ）および前記フタロシアニン系染料（Ｃ）が、それぞれ、下記（ａ）および（ｂ）の条件を満たすように配合されていることを特徴とする。
（ａ）  Ｙ：Ｍ（重量比）＝２：３〜３：２
（ｂ）  （Ｙ＋Ｍ）：Ｃ（重量比）＝２：１〜２：３
【化１】
2010100745.tif 000002
一般式（１）において、
Ｒ１、Ｒ２、Ｙ１およびＹ２は、それぞれ、一価の基であり、Ｒ１、Ｒ２、Ｙ１およびＹ２は同一でも異なっていてもよく、
Ｘ１およびＸ２は、それぞれ、電子吸引性基であり、Ｘ１およびＸ２は同一でも異なっていてもよく、
Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよく、
Ｍは、水素原子またはカチオンである。
【化２】
2010100745.tif 000003
一般式（２）において、
Ｒ１１は、水素原子、置換または無置換のアルキル基、置換または無置換のアリール基であり、
Ｒ１２は、水素原子、ハロゲン原子またはシアノ基であり、
Ｒ１３は、水素原子、置換または無置換のアルキル基、置換または無置換のアリール基、置換または無置換のヘテロ環基であり、
Ｒ１４、Ｒ１５、Ｒ１６およびＲ１７は、それぞれ、水素原子、置換または無置換のアルキル基、置換または無置換のアリール基、置換または無置換のヘテロ環基、置換または無置換のスルホニル基、置換または無置換のアシル基であり、Ｒ１４、Ｒ１５、Ｒ１６およびＲ１７は同一でも異なっていてもよいが、Ｒ１４とＲ１５が共に水素原子であることはなく、Ｒ１６とＲ１７が共に水素原子であることはなく、
Ａ１およびＡ２は、双方が置換または無置換の炭素原子であるか、若しくは一方が置換または無置換の炭素原子であり、かつ、他方が窒素原子である。
【発明の効果】
【０００７】
本発明のインクジェット記録用水性ブラックインクは、前記三原色の染料を用いて予め一色のインクとして調製されたものであるため、濃いブラックの記録においても、被記録媒体の受容量を超えることがない。また、本発明のインクジェット記録用水性ブラックインクは、前記三原色の染料が、それぞれ、前記所定の染料を前記所定の割合で含むため、耐光性に優れる。
【発明を実施するための最良の形態】
【０００８】
本発明のインクジェット記録用水性ブラックインクにおいて、前記染料（Ｙ）、前記染料（Ｍ）および前記フタロシアニン系染料（Ｃ）が、それぞれ、前記（ａ）および（ｂ）の条件に代えて、下記（ａ１）および（ｂ１）の条件を満たすように配合されていることが好ましく、下記（ａ２）および（ｂ２）の条件を満たすように配合されていることがより好ましい。
（ａ１）  Ｙ：Ｍ（重量比）＝３：４〜４：３
（ｂ１）  （Ｙ＋Ｍ）：Ｃ（重量比）＝２：１〜３：４
（ａ２）  Ｙ：Ｍ（重量比）＝４：５〜５：４
（ｂ２）  （Ｙ＋Ｍ）：Ｃ（重量比）＝２：１〜４：５
【０００９】
本発明のインクジェット記録用水性ブラックインクにおいて、写真光沢紙にＯＤ値０．４〜０．６となるように記録した場合、彩度Ｃ＊が１５以下であることが好ましく、より好ましくは、前記ＯＤ値が０．４〜１．０となるように記録した場合でも、彩度Ｃ＊が１５以下であり、さらに好ましくは、前記ＯＤ値が０．４〜２．０となるように記録した場合でも、彩度Ｃ＊が１５以下である。前記彩度Ｃ＊は、より好ましくは、１３以下であり、さらに好ましくは、１０以下である。前記彩度Ｃ＊の下限値は、特に制限されないが、例えば、０である。
【００１０】
本発明において、「写真光沢紙」とは、例えば、記録面に少なくとも一層以上の塗工層を有する記録紙のことをいう。前記写真光沢紙としては、例えば、ブラザー工業（株）製の写真光沢紙ＢＰ６１ＧＬＡ、ブラザー工業（株）製の写真光沢紙ＢＰ７１ＧＬＡ、富士フイルム（株）製のインクジェットペーパー画彩写真仕上げＰｒｏ、コダック（株）製の最高級光沢紙ＰＷＲＡ４−２０等があげられる。本発明においては、彩度Ｃ＊の評価のために写真光沢紙を用いているに過ぎず、被記録媒体を写真光沢紙に限定するものではない。
【００１１】
本発明において、「彩度Ｃ＊」は、例えば、１９７６年に国際照明委員会（ＣＩＥ）で規格化されたＬ＊ａ＊ｂ＊表色系（ＣＩＥ１９７６（Ｌ＊ａ＊ｂ＊）表色系）に基づき考え出された表色系であるＬ＊Ｃ＊ｈ表色系のＣ＊値を採用してもよい。
【００１２】
本発明のインクジェット記録用水性ブラックインクにおいて、前記フタロシアニン系染料（Ｃ）が、一般式（３）で表される染料を含むことが好ましい。
【化３】
2010100745.tif 000004
一般式（３）において、
Ｐｃ（Ｃｕ）は、一般式（Ｐｃ）で表される銅フタロシアニン核であり、
Ｒ３１、Ｒ３２、Ｒ３３およびＲ３４は、それぞれ、−ＳＯ２Ｒａ、−ＳＯ２ＮＲｂＲｃおよび−ＣＯ２Ｒａからなる群から選択される置換基であり、Ｒ３１、Ｒ３２、Ｒ３３およびＲ３４のすべてが同一であることはなく、Ｒ３１、Ｒ３２、Ｒ３３およびＲ３４の少なくとも一つは、イオン性親水性基を置換基として有し、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在し、Ｒａは、置換または無置換のアルキル基であり、Ｒｂは、水素原子、置換または無置換のアルキル基であり、Ｒｃは、置換または無置換のアルキル基であり、
ｋは、０＜ｋ＜８を満たす整数であり、ｌは、０＜ｌ＜８を満たす整数であり、ｍは、０≦ｍ＜８を満たす整数であり、ｎは、０≦ｎ＜８を満たす整数であり、かつ、ｋ、ｌ、ｍおよびｎは、４≦ｋ＋ｌ＋ｍ＋ｎ≦８を満たす整数である。
【化４】
2010100745.tif 000005
【００１３】
本発明のインクジェット記録用水性ブラックインクにおいて、前記フタロシアニン系染料（Ｃ）が、Ｃ．Ｉ．ダイレクトブラック１９９、Ｃ．Ｉ．ダイレクトブルー８６およびＣ．Ｉ．ダイレクトブルー３０７からなる群から選択される少なくとも一つの染料を含むことが好ましい。
【００１４】
本発明のインクカートリッジは、インクジェット記録用水性ブラックインクを含むインクカートリッジであって、前記インクが、本発明のインクジェット記録用水性ブラックインクであることを特徴とする。
【００１５】
本発明のインクジェット記録装置は、インク収容部およびインク吐出手段を含み、前記インク収容部に収容されたインクを前記インク吐出手段によって吐出するインクジェット記録装置であって、前記インク収容部が、本発明のインクカートリッジであることを特徴とする。
【００１６】
つぎに、本発明のインクジェット記録用水性ブラックインク（以下、単に「ブラックインク」または「水性ブラックインク」ということがある）について説明する。本発明のインクジェット記録用水性ブラックインクは、着色剤および水を含む。前記着色剤は、イエロー染料、マゼンタ染料およびシアン染料を含む。
【００１７】
前述のとおり、前記イエロー染料は、一般式（１）で表される染料（Ｙ）を含む。
【００１８】
一般式（１）において、Ｒ１、Ｒ２、Ｙ１およびＹ２は、それぞれ、一価の基であり、Ｒ１、Ｒ２、Ｙ１およびＹ２は同一でも異なっていてもよい。前記一価の基は、水素原子、または一価の置換基である。前記一価の置換基としては、例えば、ハロゲン原子；アルキル基；シクロアルキル基；アラルキル基；アルケニル基；アルキニル基；アリール基；ヘテロ環基；シアノ基；ヒドロキシル基；ニトロ基；アルコキシ基；アリールオキシ基；シリルオキシ基；ヘテロ環オキシ基；アシルオキシ基；カルバモイルオキシ基；アルコキシカルボニルオキシ基；アリールオキシカルボニルオキシ基；アルキルアミノ基、アリールアミノ基等のアミノ基；アミド基；アシルアミノ基；ウレイド基；アミノカルボニルアミノ基；アルコキシカルボニルアミノ基；アリールオキシカルボニルアミノ基；スルファモイルアミノ基；アルキルスルホニルアミノ基；アリールスルホニルアミノ基；アルキルチオ基；アリールチオ基；ヘテロ環チオ基；スルファモイル基；アルキルスルフィニル基；アリールスルフィニル基；アルキルスルホニル基；アリールスルホニル基；アシル基；アリールオキシカルボニル基；アルコキシカルボニル基；カルバモイル基；ホスフィノ基；ホスフィニル基；ホスフィニルオキシ基；ホスフィニルアミノ基；シリル基；アゾ基；イミド基等があげられる。前記一価の置換基は、さらに置換基を有していてもよい。これらの中でも、好ましい前記一価の置換基は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基であり、より好ましくは、水素原子、アルキル基、アリール基、シアノ基、アルキルスルホニル基である。
【００１９】
一般式（１）において、前記ハロゲン原子は、塩素原子、臭素原子またはヨウ素原子である。これらの中でも、好ましくは、塩素原子、臭素原子である。
【００２０】
一般式（１）において、前記アルキル基は、置換または無置換のアルキル基を含む。前記置換または無置換のアルキル基は、好ましくは、炭素原子数１〜３０のアルキル基である。前記アルキル基としては、例えば、メチル基、エチル基、ブチル基、ｔｅｒｔ−ブチル基、ｎ−オクチル基、エイコシル基、２−クロロエチル基、ヒドロキシエチル基、シアノエチル基、４−スルホブチル基等があげられる。前記置換アルキル基の置換基としては、例えば、メチル基、エチル基、プロピル基、イソプロピル基、ｓｅｃ-ブチル基、ｔｅｒｔ−ブチル基、２−エチルヘキシル基、２−メチルスルホニルエチル基、３−フェノキシプロピル基、トリフルオロメチル基等の炭素原子数１〜１２の直鎖または分岐鎖アルキル基；炭素原子数７〜１８の直鎖または分岐鎖アラルキル基；炭素原子数２〜１２の直鎖または分岐鎖アルケニル基；炭素原子数２〜１２の直鎖または分岐鎖アルキニル基；シクロペンチル基等の炭素原子数３〜１２の直鎖または分岐鎖シクロアルキル基；炭素原子数３〜１２の直鎖または分岐鎖シクロアルケニル基；塩素原子、臭素原子等のハロゲン原子；フェニル基、４−ｔｅｒｔ−ブチルフェニル基、２，４−ジ−ｔｅｒｔ−アミルフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メチルスルホニルエトキシ基等のアルコキシ基；フェノキシ基、２−メチルフェノキシ基、４−ｔｅｒｔ−ブチルフェノキシ基、３−ニトロフェノキシ基、３−ｔｅｒｔ−ブチルオキシカルボニルフェノキシ基、３−メトキシカルボニルフェニルオキシ基等のアリールオキシ基；アセトアミド基、ベンズアミド基、４−（３−ｔｅｒｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアリールアミノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔｅｒｔ−オクチルフェニルチオ基、２−カルボキシフェニルチオ基等のアリールチオ基；メトキシカルボニルアミノ基等のアルコキシカルボニルアミノ基；メチルスルホニルアミノ基等のアルキルスルホニルアミノ基；フェニルスルホニルアミノ基、ｐ−トルエンスルホニルアミノ基等のアリールスルホニルアミノ基；Ｎ−エチルカルバモイル基、Ｎ，Ｎ−ジブチルカルバモイル基等のカルバモイル基；Ｎ−エチルスルファモイル基、Ｎ，Ｎ−ジプロピルスルファモイル基、Ｎ−フェニルスルファモイル基等のスルファモイル基；メチルスルホニル基、オクチルスルホニル基、フェニルスルホニル基、ｐ−トルエンスルホニル基等のスルホニル基；メトキシカルボニル基、ブチルオキシカルボニル基等のアルコキシカ��ボニル基；１−フェニルテトラゾール−５−オキシ基、２−テトラヒドロピラニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ基等のアゾ基；アセトキシ基等のアシルオキシ基；Ｎ−メチルカルバモイルオキシ基、Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド基、Ｎ−フタルイミド基等のイミド基；２−ベンゾチアゾリルチオ基、２，４−ジ−フェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシル基、スルホ基、ホスホノ基、４級アンモニウム基等のイオン性親水性基等があげられる。前記置換アルキル基の置換基である前記アルキル基、前記アラルキル基、前記アルケニル基、前記アルキニル基、前記シクロアルキル基および前記シクロアルケニル基は、染料の溶解性およびインクの安定性を向上させる観点から、分岐鎖を有するものが好ましく、不斉炭素を有するものが特に好ましい。これらの中でも、好ましい前記置換アルキル基の置換基は、ヒドロキシ基、アルコキシ基、シアノ基、ハロゲン原子、スルホ基（塩の形でもよい）、カルボキシル基（塩の形でもよい）である。
【００２１】
一般式（１）において、前記シクロアルキル基は、置換または無置換のシクロアルキル基を含む。前記置換または無置換のシクロアルキル基は、好ましくは、炭素原子数５〜３０のシクロアルキル基である。前記置換シクロアルキル基の置換基としては、例えば、前記置換アルキル基の置換基としてあげたような置換基と同じものがあげられる。前記シクロアルキル基としては、例えば、シクロヘキシル基、シクロペンチル基、４−ｎ−ドデシルシクロヘキシル基等があげられる。
【００２２】
一般式（１）において、前記アラルキル基は、置換または無置換のアラルキル基を含む。前記置換または無置換のアラルキル基は、好ましくは、炭素原子数７〜３０のアラルキル基である。前記置換アラルキル基の置換基としては、例えば、前記置換アルキル基の置換基としてあげたような置換基と同じものがあげられる。前記アラルキル基としては、例えば、ベンジル基、２−フェネチル基等があげられる。
【００２３】
一般式（１）において、前記アルケニル基は、直鎖、分岐、環状の置換または無置換のアルケニル基である。前記アルケニル基は、好ましくは、炭素原子数２〜３０の置換または無置換のアルケニル基である。前記置換アルケニル基の置換基としては、例えば、前記置換アルキル基の置換基としてあげたような置換基と同じものがあげられる。前記アルケニル基としては、例えば、ビニル基、アリル基、プレニル基、ゲラニル基、オレイル基、２−シクロペンテン−１−イル基、シクロヘキセン−１−イル基等があげられる。
【００２４】
一般式（１）において、前記アルキニル基は、炭素原子数２〜３０の置換または無置換のアルキニル基である。前記置換アルキニル基の置換基としては、例えば、前記置換アルキル基の置換基としてあげたような置換基と同じものがあげられる。前記アルキニル基としては、例えば、エチニル基、プロパルギル基等があげられる。
【００２５】
一般式（１）において、前記アリール基は、炭素原子数６〜３０の置換または無置換のアリール基である。前記アリール基としては、例えば、フェニル基、ｐ−トリル基、ナフチル基、ｍ−クロロフェニル基、ｏ−ヘキサデカノイルアミノフェニル基等があげられる。前記置換アリール基の置換基としては、例えば、前記置換アルキル基の置換基としてあげたような置換基と同じものがあげられる。
【００２６】
一般式（１）において、前記ヘテロ環基は、５または６員の置換または無置換の、芳香族または非芳香族のヘテロ環化合物から一個の水素原子を取り除いた一価の基であり、それらは更に縮環していてもよい。前記へテロ環基は、好ましくは、炭素原子数３〜３０の５または６員の芳香族のヘテロ環基である。前記置換ヘテロ環基の置換基としては、例えば、前記置換アルキル基の置換基としてあげたような置換基と同じものがあげられる。前記ヘテロ環基としては、置換位置を限定しないと、例えば、ピリジン基、ピラジン基、ピリダジン基、ピリミジン基、トリアジン基、キノリン基、イソキノリン基、キナゾリン基、シンノリン基、フタラジン基、キノキサリン基、ピロール基、インドール基、フラン基、ベンゾフラン基、チオフェン基、ベンゾチオフェン基、ピラゾール基、イミダゾール基、ベンズイミダゾール基、トリアゾール基、オキサゾール基、ベンズオキサゾール基、チアゾール基、ベンゾチアゾール基、イソチアゾール基、ベンズイソチアゾール基、チアジアゾール基、イソオキサゾール基、ベンズイソオキサゾール基、ピロリジン基、ピペリジン基、ピペラジン基、イミダゾリジン基、チアゾリン基等があげられる。
【００２７】
一般式（１）において、前記アルコキシ基は、置換または無置換のアルコキシ基を含む。前記置換または無置換のアルコキシ基は、好ましくは、炭素原子数１〜３０のアルコキシ基である。前記置換アルコキシ基の置換基としては、例えば、前記置換アルキル基の置換基としてあげたような置換基と同じものがあげられる。前記アルコキシ基としては、例えば、メトキシ基、エトキシ基、イソプロポキシ基、ｎ−オクチルオキシ基、メトキシエトキシ基、ヒドロキシエトキシ基、３−カルボキシプロポキシ基等があげられる。
【００２８】
一般式（１）において、前記アリールオキシ基は、好ましくは、炭素原子数６〜３０の置換または無置換のアリールオキシ基である。前記置換アリールオキシ基の置換基としては、例えば、前記置換アルキル基の置換基としてあげたような置換基と同じものがあげられる。前記アリールオキシ基としては、例えば、フェノキシ基、２−メチルフェノキシ基、４−ｔｅｒｔ−ブチルフェノキシ基、３−ニトロフェノキシ基、２−テトラデカノイルアミノフェノキシ基等があげられる。
【００２９】
一般式（１）において、前記シリルオキシ基は、好ましくは、炭素原子数３〜２０のシリルオキシ基である。前記シリルオキシ基としては、例えば、トリメチルシリルオキシ基、ｔｅｒｔ−ブチルジメチルシリルオキシ基等があげられる。
【００３０】
一般式（１）において、前記ヘテロ環オキシ基は、好ましくは、炭素原子数２〜３０の置換または無置換のヘテロ環オキシ基である。前記置換ヘテロ環オキシ基の置換基としては、例えば、前記置換アルキル基の置換基としてあげたような置換基と同じものがあげられる。前記ヘテロ環オキシ基としては、例えば、１−フェニルテトラゾール−５−オキシ基、２−テトラヒドロピラニルオキシ基等があげられる。
【００３１】
一般式（１）において、前記アシルオキシ基は、好ましくは、ホルミルオキシ基、炭素原子数２〜３０の置換または無置換のアルキルカルボニルオキシ基、炭素原子数６〜３０の置換または無置換のアリールカルボニルオキシ基である。前記置換アルキルカルボニルオキシ基および前記置換アリールカルボニルオキシ基の置換基としては、例えば、前記置換アルキル基の置換基としてあげたような置換基と同じものがあげられる。前記アシルオキシ基としては、例えば、ホルミルオキシ基、アセチルオキシ基、ピバロイルオキシ基、ステアロイルオキシ基、ベンゾイルオキシ基、ｐ−メトキシフェニルカルボニルオキシ基等があげられる。
【００３２】
一般式（１）において、前記カルバモイルオキシ基は、好ましくは、炭素原子数１〜３０の置換または無置換のカルバモイルオキシ基である。前記置換カルバモイルオキシ基の置換基としては、例えば、前記置換アルキル基の置換基としてあげたような置換基と同じものがあげられる。前記カルバモイルオキシ基としては、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等があげられる。
【００３３】
一般式（１）において、前記アルコキシカルボニルオキシ基は、好ましくは、炭素原子数２〜３０の置換または無置換のアルコキシカルボニルオキシ基である。前記置換アルコキシカルボニルオキシ基の置換基としては、例えば、前記置換アルキル基の置換基としてあげたような置換基と同じものがあげられる。前記アルコキシカルボニルオキシ基としては、例えば、メトキシカルボニルオキシ基、エトキシカルボニルオキシ基、ｔｅｒｔ−ブトキシカルボニルオキシ基、ｎ−オクチルカルボニルオキシ基等があげられる。
【００３４】
一般式（１）において、前記アリールオキシカルボニルオキシ基は、好ましくは、炭素原子数７〜３０の置換または無置換のアリールオキシカルボニルオキシ基である。前記置換アリールオキシカルボニルオキシ基の置換基としては、例えば、前記置換アルキル基の置換基としてあげたような置換基と同じものがあげられる。前記アリールオキシカルボニルオキシ基としては、例えば、フェノキシカルボニルオキシ基、ｐ−メトキシフェノキシカルボニルオキシ基、ｐ−ｎ−ヘキサデシルオキシフェノキシカルボニルオキシ基等があげられる。
【００３５】
一般式（１）において、前記アミノ基は、好ましくは、炭素原子数１〜３０の置換または無置換のアルキルアミノ基、炭素原子数６〜３０の置換または無置換のアリールアミノ基である。前記置換アルキルアミノ基および前記置換アリールアミノ基の置換基としては、例えば、前記置換アルキル基の置換基としてあげたような置換基と同じものがあげられる。前記アミノ基としては、例えば、アミノ基、メチルアミノ基、ジメチルアミノ基、アニリノ基、Ｎ−メチル−アニリノ基、ジフェニルアミノ基、ヒドロキシエチルアミノ基、カルボキシエチルアミノ基、スルフォエチルアミノ基、３，５−ジカルボキシアニリノ基等があげられる。
【００３６】
一般式（１）において、前記アシルアミノ基は、好ましくは、ホルミルアミノ基、炭素原子数１〜３０の置換または無置換のアルキルカルボニルアミノ基、炭素原子数６〜３０の置換または無置換のアリールカルボニルアミノ基である。前記置換アルキルカルボニルアミノ基および前記置換アリールカルボニルアミノ基の置換基としては、例えば、前記置換アルキル基の置換基としてあげたような置換基と同じものがあげられる。前記アシルアミノ基としては、例えば、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基等があげられる。
【００３７】
一般式（１）において、前記アミノカルボニルアミノ基は、好ましくは、炭素原子数１〜３０の置換または無置換のアミノカルボニルアミノ基である。前記置換アミノカルボニルアミノ基の置換基としては、例えば、前記置換アルキル基の置換基としてあげたような置換基と同じものがあげられる。前記アミノカルボニルアミノ基としては、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等があげられる。
【００３８】
一般式（１）において、前記アルコキシカルボニルアミノ基は、好ましくは、炭素原子数２〜３０の置換または無置換のアルコキシカルボニルアミノ基である。前記置換アルコキシカルボニルアミノ基の置換基としては、例えば、前記置換アルキル基の置換基としてあげたような置換基と同じものがあげられる。前記アルコキシカルボニルアミノ基としては、例えば、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチル−メトキシカルボニルアミノ基等があげられる。
【００３９】
一般式（１）において、前記アリールオキシカルボニルアミノ基は、好ましくは、炭素原子数７〜３０の置換または無置換のアリールオキシカルボニルアミノ基である。前記置換アリールオキシカルボニルアミノ基の置換基としては、例えば、前記置換アルキル基の置換基としてあげたような置換基と同じものがあげられる。前記アリールオキシカルボニルアミノ基としては、例えば、フェノキシカルボニルアミノ基、ｐ−クロロフェノキシカルボニルアミノ基、ｍ−ｎ−オクチルオキシフェノキシカルボニルアミノ基等があげられる。
【００４０】
一般式（１）において、前記スルファモイルアミノ基は、好ましくは、炭素原子数０〜３０の置換または無置換のスルファモイルアミノ基である。前記置換スルファモイルアミノ基の置換基としては、例えば、前記置換アルキル基の置換基としてあげたような置換基と同じものがあげられる。前記スルファモイルアミノ基としては、例えば、スルファモイルアミノ基、Ｎ，Ｎ−ジメチルアミノスルホニルアミノ基、Ｎ−ｎ−オクチルアミノスルホニルアミノ基等があげられる。
【００４１】
一般式（１）において、前記アルキルスルホニルアミノ基は、好ましくは、炭素原子数１〜３０の置換または無置換のアルキルスルホニルアミノ基である。前記置換アルキルスルホニルアミノ基の置換基としては、例えば、前記置換アルキル基の置換基としてあげたような置換基と同じものがあげられる。前記アルキルスルホニルアミノ基としては、例えば、メチルスルホニルアミノ基、ブチルスルホニルアミノ基等があげられる。
【００４２】
一般式（１）において、前記アリールスルホニルアミノ基は、好ましくは、炭素原子数６〜３０の置換または無置換のアリールスルホニルアミノ基である。前記置換アリールスルホニルアミノ基の置換基としては、例えば、前記置換アルキル基の置換基としてあげたような置換基と同じものがあげられる。前記アリールスルホニルアミノ基としては、例えば、フェニルスルホニルアミノ基、２，３，５−トリクロロフェニルスルホニルアミノ基、ｐ−メチルフェニルスルホニルアミノ基等があげられる。
【００４３】
一般式（１）において、前記アルキルチオ基は、好ましくは、炭素原子数１〜３０の置換または無置換のアルキルチオ基である。前記置換アルキルチオ基の置換基としては、例えば、前記置換アルキル基の置換基としてあげたような置換基と同じものがあげられる。前記アルキルチオ基としては、例えば、メチルチオ基、エチルチオ基、ｎ−ヘキサデシルチオ基等があげられる。
【００４４】
一般式（１）において、前記アリールチオ基は、好ましくは、炭素原子数６〜３０の置換または無置換のアリールチオ基である。前記置換アリールチオ基の置換基としては、例えば、前記置換アルキル基の置換基としてあげたような置換基と同じものがあげられる。前記アリールチオ基としては、例えば、フェニルチオ基、ｐ−クロロフェニルチオ基、ｍ−メトキシフェニルチオ基等があげられる。
【００４５】
一般式（１）において、前記ヘテロ環チオ基は、好ましくは、炭素原子数２〜３０の置換または無置換のヘテロ環チオ基である。前記置換ヘテロ環チオ基の置換基としては、例えば、前記置換アルキル基の置換基としてあげたような置換基と同じものがあげられる。前記ヘテロ環チオ基としては、例えば、２−ベンゾチアゾリルチオ基、１−フェニルテトラゾール−５−イルチオ基等があげられる。
【００４６】
一般式（１）において、前記スルファモイル基は、好ましくは、炭素原子数０〜３０の置換または無置換のスルファモイル基である。前記置換スルファモイル基の置換基としては、例えば、前記置換アルキル基の置換基としてあげたような置換基と同じものがあげられる。前記スルファモイル基としては、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等があげられる。
【００４７】
一般式（１）において、前記アルキルスルフィニル基は、好ましくは、炭素原子数１〜３０の置換または無置換のアルキルスルフィニル基である。前記置換アルキルスルフィニル基の置換基としては、例えば、前記置換アルキル基の置換基としてあげたような置換基と同じものがあげられる。前記アルキルスルフィニル基としては、例えば、メチルスルフィニル基、エチルスルフィニル基等があげられる。
【００４８】
一般式（１）において、前記アリールスルフィニル基は、好ましくは、炭素原子数６〜３０の置換または無置換のアリールスルフィニル基である。前記置換アリールスルフィニル基の置換基としては、例えば、前記置換アルキル基の置換基としてあげたような置換基と同じものがあげられる。前記アリールスルフィニル基としては、例えば、フェニルスルフィニル基、ｐ−メチルフェニルスルフィニル基等があげられる。
【００４９】
一般式（１）において、前記アルキルスルホニル基は、好ましくは、炭素原子数１〜３０の置換または無置換のアルキルスルホニル基である。前記置換アルキルスルホニル基の置換基としては、例えば、前記置換アルキル基の置換基としてあげたような置換基と同じものがあげられる。前記アルキルスルホニル基としては、例えば、メチルスルホニル基、エチルスルホニル基等があげられる。
【００５０】
一般式（１）において、前記アリールスルホニル基は、好ましくは、炭素原子数６〜３０の置換または無置換のアリールスルホニル基である。前記置換アリールスルホニル基の置換基としては、例えば、前記置換アルキル基の置換基としてあげたような置換基と同じものがあげられる。前記アリールスルホニル基としては、例えば、フェニルスルホニル基、ｐ−トルエンスルホニル基等があげられる。
【００５１】
一般式（１）において、前記アシル基は、好ましくは、ホルミル基、炭素原子数２〜３０の置換または無置換のアルキルカルボニル基、炭素原子数７〜３０の置換または無置換のアリールカルボニル基、炭素原子数４〜３０の置換または無置換の炭素原子でカルボニル基と結合しているヘテロ環カルボニル基である。前記置換アルキルカルボニル基、前記置換アリールカルボニル基、前記ヘテロ環カルボニル基の置換基としては、例えば、前記置換アルキル基の置換基としてあげたような置換基と同じものがあげられる。前記アシル基としては、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等があげられる。
【００５２】
一般式（１）において、前記アリールオキシカルボニル基は、好ましくは、炭素原子数７〜３０の置換または無置換のアリールオキシカルボニル基である。前記置換アリールオキシカルボニル基の置換基としては、例えば、前記置換アルキル基の置換基としてあげたような置換基と同じものがあげられる。前記アリールオキシカルボニル基としては、例えば、フェノキシカルボニル基、ｏ−クロロフェノキシカルボニル基、ｍ−ニトロフェノキシカルボニル基、ｐ−ｔｅｒｔ−ブチルフェノキシカルボニル基等があげられる。
【００５３】
一般式（１）において、前記アルコキシカルボニル基は、好ましくは、炭素原子数２〜３０の置換または無置換のアルコキシカルボニル基である。前記置換アルコキシカルボニル基の置換基としては、例えば、前記置換アルキル基の置換基としてあげたような置換基と同じものがあげられる。前記アルコキシカルボニル基としては、例えば、メトキシカルボニル基、エトキシカルボニル基、ｔｅｒｔ−ブトキシカルボニル基、ｎ−オクタデシルオキシカルボニル基等があげられる。
【００５４】
一般式（１）において、前記カルバモイル基は、好ましくは、炭素原子数１〜３０の置換または無置換のカルバモイル基である。前記置換カルバモイル基の置換基としては、例えば、前記置換アルキル基の置換基としてあげたような置換基と同じものがあげられる。前記カルバモイル基としては、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等があげられる。
【００５５】
一般式（１）において、前記ホスフィノ基は、好ましくは、炭素原子数２〜３０の置換または無置換のホスフィノ基である。前記置換ホスフィノ基の置換基としては、例えば、前記置換アルキル基の置換基としてあげたような置換基と同じものがあげられる。前記ホスフィノ基としては、例えば、ジメチルホスフィノ基、ジフェニルホスフィノ基、メチルフェノキシホスフィノ基等があげられる。
【００５６】
一般式（１）において、前記ホスフィニル基は、好ましくは、炭素原子数２〜３０の置換または無置換のホスフィニル基である。前記置換ホスフィニル基の置換基としては、例えば、前記置換アルキル基の置換基としてあげたような置換基と同じものがあげられる。前記ホスフィニル基としては、例えば、ホスフィニル基、ジオクチルオキシホスフィニル基、ジエトキシホスフィニル基等があげられる。
【００５７】
一般式（１）において、前記ホスフィニルオキシ基は、好ましくは、炭素原子数２〜３０の置換または無置換のホスフィニルオキシ基である。前記置換ホスフィニルオキシ基の置換基としては、例えば、前記置換アルキル基の置換基としてあげたような置換基と同じものがあげられる。前記ホスフィニルオキシ基としては、例えば、ジフェノキシホスフィニルオキシ基、ジオクチルオキシホスフィニルオキシ基等があげられる。
【００５８】
一般式（１）において、前記ホスフィニルアミノ基は、好ましくは、炭素原子数２〜３０の置換または無置換のホスフィニルアミノ基である。前記置換ホスフィニルアミノ基の置換基としては、例えば、前記置換アルキル基の置換基としてあげたような置換基と同じものがあげられる。前記ホスフィニルアミノ基としては、例えば、ジメトキシホスフィニルアミノ基、ジメチルアミノホスフィニルアミノ基等があげられる。
【００５９】
一般式（１）において、前記シリル基は、好ましくは、炭素原子数３〜３０の置換または無置換のシリル基である。前記置換シリル基の置換基としては、例えば、前記置換アルキル基の置換基としてあげたような置換基と同じものがあげられる。前記シリル基としては、例えば、トリメチルシリル基、ｔｅｒｔ−ブチルジメチルシリル基、フェニルジメチルシリル基等があげられる。
【００６０】
一般式（１）において、前記アゾ基としては、例えば、フェニルアゾ基、４−メトキシフェニルアゾ基、４−ピバロイルアミノフェニルアゾ基、２−ヒドロキシ−４−プロパノイルフェニルアゾ基等があげられる。
【００６１】
一般式（１）において、前記イミド基としては、例えば、Ｎ−スクシンイミド基、Ｎ−フタルイミド基等があげられる。
【００６２】
一般式（１）において、Ｘ１およびＸ２は、それぞれ、電子吸引性基であり、Ｘ１およびＸ２は同一でも異なっていてもよい。前記Ｘ１およびＸ２としては、例えば、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、他の電子吸引性基で置換されたアリール基、ヘテロ環基、ハロゲン原子、アゾ基、セレノシアネート基等があげられる。
【００６３】
前記Ｘ１およびＸ２は、好ましくは、炭素原子数２〜１２のアシル基、炭素原子数２〜１２のアシルオキシ基、炭素原子数１〜１２のカルバモイル基、炭素原子数２〜１２のアルコキシカルボニル基、炭素原子数７〜１８のアリールオキシカルボニル基、シアノ基、ニトロ基、炭素原子数１〜１２のアルキルスルフィニル基、炭素原子数６〜１８のアリールスルフィニル基、炭素原子数１〜１２のアルキルスルホニル基、炭素原子数６〜１８のアリールスルホニル基、炭素原子数０〜１２のスルファモイル基、炭素原子数１〜１２のハロゲン化アルキル基、炭素原子数１〜１２のハロゲン化アルコキシ基、炭素原子数１〜１２のハロゲン化アルキルチオ基、炭素原子数７〜１８のハロゲン化アリールオキシ基、２つ以上の他の電子吸引性基で置換された炭素原子数７〜１８のアリール基、窒素原子、酸素原子、またはイオウ原子を有する５〜８員環で炭素原子数１〜１８のヘテロ環基である。
【００６４】
一般式（１）において、Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよい。前記アルキル基、前記アルケニル基、前記アルキニル基、前記アラルキル基、前記アリール基および前記ヘテロ環基は、前記Ｒ１、Ｒ２、Ｙ１およびＹ２におけるのと同様である。
【００６５】
一般式（１）において、Ｍは、水素原子またはカチオンである。前記カチオンは、アルカリ金属イオン、アンモニウムイオンまたは第４級アンモニウムイオンである。前記カチオンは、好ましくは、Ｌｉ、Ｎａ、Ｋ、ＮＨ４、ＮＲ４である。ここで、前記Ｒは、アルキル基またはアリール基であり、前記Ｒ１、Ｒ２、Ｙ１およびＹ２におけるのと同様である。これらの中でも、前記カチオンは、Ｌｉ、Ｎａ、Ｋ、ＮＨ４であることが好ましい。
【００６６】
一般式（１）で表される染料の好ましい置換基の組み合わせとしては、置換基の少なくとも１つが前記の好ましい基であることが好ましく、より多くの置換基が前記の好ましい基であることがより好ましく、全ての置換基が前記の好ましい基であることが最も好ましい。
【００６７】
一般式（１）で表される染料の特に好ましい置換基の組み合わせは、つぎの（イ）〜（ホ）を含む。
【００６８】
（イ）Ｒ１、Ｒ２は、同一でも異なっていてもよく、好ましくは、置換または無置換の総炭素原子数１〜１２のアルキル基、置換または無置換の総炭素原子数６〜１８のアリール基、置換または無置換の総炭素原子数４〜１２ヘテロ環基であり、より好ましくは、総炭素原子数１〜８の直鎖または分岐鎖アルキル基であり、さらに好ましくは、２級または３級のアルキル基であり、最も好ましくは、ｔｅｒｔ−ブチル基である。
【００６９】
（ロ）Ｘ１、Ｘ２は、それぞれ、電子吸引性基であり、同一でも異なっていてもよく、好ましくは、シアノ基、炭素原子数１〜１２のアルキルスルホニル基、炭素原子数６〜１８のアリールスルホニル基、炭素原子数０〜１２のスルファモイル基であり、より好ましくは、シアノ基、炭素原子数１〜１２のアルキルスルホニル基である。
【００７０】
（ハ）Ｙ１、Ｙ２は、同一でも異なっていてもよく、好ましくは、水素原子、置換または無置換の総炭素原子数１〜１２のアルキル基、置換または無置換の総炭素原子数６〜１８のアリール基、置換または無置換の総炭素原子数４〜１２のヘテロ環基であり、より好ましくは、水素原子、置換または無置換のアルキル基であり、最も好ましくは、水素原子である。
【００７１】
（ニ）Ｚ１、Ｚ２は、同一でも異なっていてもよく、好ましくは、置換または無置換の総炭素原子数１〜１２のアルキル基、置換または無置換の総炭素原子数６〜１８のアリール基、置換または無置換の総炭素原子数４〜１２のヘテロ環基であり、より好ましくは、置換または無置換のアリール基、置換または無置換のヘテロ環基であり、特に好ましくは、置換アリール基である。
【００７２】
（ホ）Ｍは、好ましくは、水素原子、アルカリ金属イオン、アンモニウムイオン、第４級アンモニウムイオンであり、より好ましくは、水素原子、Ｌｉ、Ｎａ、Ｋ、ＮＨ４である。
【００７３】
前記染料（Ｙ）の好ましい具体例としては、構造式（１−Ａ）〜（１−Ｅ）で表わされる化合物があげられる。構造式（１−Ａ）〜（１−Ｅ）において、Ｃ４Ｈ９（ｔ）は、ｔｅｒｔ−ブチル基を表す。
【００７４】
【化５】
2010100745.tif 000006
【化６】
2010100745.tif 000007
【化７】
2010100745.tif 000008
【化８】
2010100745.tif 000009
【化９】
2010100745.tif 000010
【００７５】
前記イエロー染料は、前記染料（Ｙ）のみを含んでいてもよいし、さらに前記染料（Ｙ）以外のイエロー染料を含んでもよい。前記染料（Ｙ）以外のイエロー染料は、前記染料（Ｙ）と耐光性が同等以上の染料またはそのような染料の組み合わせであることが好ましい。
【００７６】
前述のとおり、前記マゼンタ染料は、一般式（２）で表される染料（Ｍ）を含む。
【００７７】
前述のとおり、一般式（２）において、
Ｒ１１は、水素原子、置換または無置換のアルキル基、置換または無置換のアリール基であり、
Ｒ１２は、水素原子、ハロゲン原子またはシアノ基であり、
Ｒ１３は、水素原子、置換または無置換のアルキル基、置換または無置換のアリール基、置換または無置換のヘテロ環基であり、
Ｒ１４、Ｒ１５、Ｒ１６およびＲ１７は、それぞれ、水素原子、置換または無置換のアルキル基、置換または無置換のアリール基、置換または無置換のヘテロ環基、置換または無置換のスルホニル基、置換または無置換のアシル基であり、Ｒ１４、Ｒ１５、Ｒ１６およびＲ１７は同一でも異なっていてもよいが、Ｒ１４とＲ１５が共に水素原子であることはなく、Ｒ１６とＲ１７が共に水素原子であることはなく、
Ａ１およびＡ２は、双方が置換または無置換の炭素原子であるか、若しくは一方が置換または無置換の炭素原子であり、かつ、他方が窒素原子である。
【００７８】
一般式（２）において、前記置換または無置換のアルキル基は、好ましくは、炭素原子数１〜６のアルキル基である。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００７９】
一般式（２）において、前記置換または無置換のアリール基は、好ましくは、炭素原子数６〜１２のアリール基である。ただし、置換アリール基の場合、前記炭素原子数は、置換基の炭素原子数を含まないものとする。前記置換または無置換のアリール基としては、例えば、フェニル基、ナフチル基、ｐ−トリル基、ｐ−オクチルフェニル基、メシチル基、ｐ−メトキシフェニル基、ｏ−クロロフェニル基、ｍ−（３−スルホプロピルアミノ）フェニル基等があげられる。前記置換アリール基の置換基としては、例えば、メチル基、エチル基、イソプロピル基、ｔｅｒｔ−ブチル基、ｎ−オクチル基等のアルキル基；前述と同様のアルコキシ基；前述と同様のハロゲン原子；メチルアミノ基、ジメチルアミノ基等のアルキルアミノ基；アミド基；カルバモイル基；スルファモイル基；スルホアミド基；水酸基；メトキシカルボニル基、エトキシカルボニル基等のエステル基；前述と同様のイオン性親水性基等があげられる。
【００８０】
一般式（２）において、前記ハロゲン原子としては、例えば、フッ素原子、塩素原子、臭素原子およびヨウ素原子等があげられる。
【００８１】
一般式（２）において、前記置換または無置換のヘテロ環基は、好ましくは、５員または６員環のヘテロ環基である。前記置換または無置換のへテロ環基としては、例えば、２−ピリジル基、２−チエニル基、２−チアゾリル基、２−ベンゾチアゾリル基、２−フリル基、６−スルホベンゾチアゾリル基、６−スルホン酸塩ベンゾチアゾリル基等があげられる。前記置換ヘテロ環基の置換基としては、例えば、アミド基；カルバモイル基；スルファモイル基；スルホアミド基；水酸基；前述と同様のエステル基；前述と同様のイオン性親水性基等があげられる。
【００８２】
一般式（２）において、前記置換または無置換のスルホニル基としては、例えば、メチルスルホニル基、フェニルスルホニル基等があげられる。前記置換スルホニル基の置換基としては、例えば、前述と同様の置換または無置換アルキル基、前述と同様の置換または無置換のアリール基等があげられる。
【００８３】
一般式（２）において、前記置換または無置換のアシル基は、好ましくは、炭素原子数１〜１２のアシル基である。ただし、置換アシル基の場合、前記炭素原子数は、置換基の炭素原子数を含まないものとする。前記置換または無置換のアシル基としては、例えば、アセチル基、ベンゾイル基、クロロアセチル基等があげられる。前記置換アシル基の置換基としては、例えば、前述と同様のイオン性親水性基等があげられる。
【００８４】
一般式（２）において、Ａ１およびＡ２は、前述のとおり、双方が置換または無置換の炭素原子であるか、若しくは一方が置換または無置換の炭素原子であり、且つ、他方が窒素原子である。Ａ１およびＡ２の双方が炭素原子である場合が、より優れた性能を発揮できる点で好ましい。Ａ１およびＡ２の炭素原子に結合する置換基としては、例えば、炭素原子数１〜３のアルキル基、カルボキシル基、カルバモイル基、シアノ基等があげられる。
【００８５】
前述のとおり、一般式（２）において、Ｒ１４とＲ１５とは共に水素原子であることはなく、またＲ１６とＲ１７も共に水素原子であることはない。また、一般式（２）において、スルホン酸基若しくはカルボキシル基の置換数が多くなると前記染料（Ｍ）の水溶性が向上する傾向があるので、必要に応じてそれらの置換数を調整することが好ましい。
【００８６】
前記染料（Ｍ）の好ましい態様としては、例えば、一般式（２）において、Ｒ１１がアルキル基、Ｒ１２がシアノ基、Ｒ１３が水素原子若しくは置換または無置換のヘテロ環基、Ｒ１４が水素原子、置換または無置換のヘテロ環基若しくは置換アリール基、Ｒ１５およびＲ１６が、それぞれ、置換ヘテロ環基または置換アリール基、Ｒ１７が水素原子であり、Ａ１が置換されている炭素原子、Ａ２が置換または無置換の炭素原子である態様があげられる。
【００８７】
前記染料（Ｍ）のより好ましい態様としては、例えば、一般式（２）において、Ｒ１１がｔｅｒｔ−ブチル基、Ｒ１２がシアノ基、Ｒ１３が水素原子またはスルホン酸基若しくはそのアルカリ金属塩基で置換されてもよいベンゾチアゾリル基（好ましくは、ベンゾチアゾール−２−イル基）、Ｒ１４が水素原子、スルホン酸基若しくはそのアルカリ金属塩基で置換されてもよいベンゾチアゾリル基（好ましくは、ベンゾチアゾール−２−イル基）またはスルホン酸基若しくはそのアルカリ金属塩基で置換されているトリアルキルフェニル基（好ましくは、メシチル基）、Ｒ１５およびＲ１６が、それぞれ、スルホン酸基若しくはそのアルカリ金属塩基で置換されてもよいモノ、ジ若しくはトリアルキルフェニル基（好ましくは、ｐ−オクチルフェニル基若しくはメシチル基）またはスルホン酸基若しくはそのアルカリ金属塩基で置換されているベンゾチアゾリル基（好ましくは、ベンゾチアゾール−２−イル基）、Ｒ１７が水素原子であり、Ａ１がアルキル基（好ましくは、メチル基）で置換されている炭素原子、Ａ２がシアノ基で置換されてもよい炭素原子である態様である。
【００８８】
前記染料（Ｍ）の好ましい具体例としては、構造式（２−Ａ）〜（２−Ｆ）で表される化合物があげられる。
【００８９】
【化１０】
2010100745.tif 000011
【００９０】
構造式（２−Ａ）で表される化合物は、一般式（２）において、Ｒ１１がｔｅｒｔ−ブチル基、Ｒ１２がシアノ基、Ｒ１３およびＲ１４が６−スルホカリウム塩ベンゾチアゾール−２−イル基、Ｒ１５およびＲ１６が３−スルホカリウム塩−メシチル基、Ｒ１７が水素原子であり、Ａ１がメチル基で置換されている炭素原子、Ａ２が炭素原子である態様である。
【００９１】
【化１１】
2010100745.tif 000012
【００９２】
構造式（２−Ｂ）で表される化合物は、一般式（２）において、Ｒ１１がｔｅｒｔ−ブチル基、Ｒ１２がシアノ基、Ｒ１３およびＲ１４が６−スルホリチウム塩ベンゾチアゾール−２−イル基、Ｒ１５およびＲ１６が２，６−ジエチル−４−メチル−３−スルホリチウム塩フェニル基、Ｒ１７が水素原子であり、Ａ１がメチル基で置換されている炭素原子、Ａ２が炭素原子である態様である。
【００９３】
【化１２】
2010100745.tif 000013
【００９４】
構造式（２−Ｃ）で表される化合物は、一般式（２）において、Ｒ１１がｔｅｒｔ−ブチル基、Ｒ１２がシアノ基、Ｒ１３がベンゾチアゾール−２−イル基、Ｒ１４が水素原子、Ｒ１５およびＲ１６がｐ−オクチルフェニル基、Ｒ１７が水素原子であり、Ａ１がメチル基で置換されている炭素原子、Ａ２がシアノ基で置換されている炭素原子である態様である。
【００９５】
【化１３】
2010100745.tif 000014
【００９６】
構造式（２−Ｄ）で表される化合物は、一般式（２）において、Ｒ１１がｔｅｒｔ−ブチル基、Ｒ１２がシアノ基、Ｒ１３およびＲ１４がベンゾチアゾール−２−イル基、Ｒ１５およびＲ１６がメシチル基、Ｒ１７が水素原子であり、Ａ１がメチル基で置換されている炭素原子、Ａ２が炭素原子である態様である。
【００９７】
【化１４】
2010100745.tif 000015
【００９８】
化学式（２−Ｅ）で表される化合物は、一般式（２）において、Ｒ１１がｔｅｒｔ−ブチル基、Ｒ１２がシアノ基、Ｒ１３およびＲ１４が６−スルホナトリウム塩ベンゾチアゾール−２−イル基、Ｒ１５およびＲ１６が３−スルホナトリウム塩−メシチル基、Ｒ１７が水素原子であり、Ａ１がメチル基で置換されている炭素原子、Ａ２が炭素原子である態様である。
【００９９】
【化１５】
2010100745.tif 000016
【０１００】
化学式（２−Ｆ）で表される化合物は、一般式（２）において、Ｒ１１がｔｅｒｔ−ブチル基、Ｒ１２がシアノ基、Ｒ１３およびＲ１４が６−スルホリチウム塩ベンゾチアゾール−２−イル基、Ｒ１５およびＲ１６が２，６−ジエチル−４−スルホリチウム塩フェニル基、Ｒ１７が水素原子であり、Ａ１がメチル基で置換されている炭素原子、Ａ２が炭素原子である態様である。
【０１０１】
前記マゼンタ染料は、前記染料（Ｍ）のみを含んでいてもよいし、さらに前記染料（Ｍ）以外のマゼンタ染料を含んでもよい。前記染料（Ｍ）以外のマゼンタ染料は、前記染料（Ｍ）と同等以上の耐光性を示す染料またはそのような染料の組み合わせであることが好ましい。
【０１０２】
前述のとおり、前記シアン染料は、フタロシアニン系染料（Ｃ）を含む。前記フタロシアニン系染料とは、フタロシアニン構造を有するシアン染料を意味する。
【０１０３】
前述のとおり、前記フタロシアニン系染料（Ｃ）は、一般式（３）で表される染料を含むことが好ましい。
【０１０４】
前述のとおり、一般式（３）において、
Ｐｃ（Ｃｕ）は、一般式（Ｐｃ）で表される銅フタロシアニン核であり、
Ｒ３１、Ｒ３２、Ｒ３３およびＲ３４は、それぞれ、−ＳＯ２Ｒａ、−ＳＯ２ＮＲｂＲｃおよび−ＣＯ２Ｒａからなる群から選択される置換基であり、Ｒ３１、Ｒ３２、Ｒ３３およびＲ３４のすべてが同一であることはなく、Ｒ３１、Ｒ３２、Ｒ３３およびＲ３４の少なくとも一つは、イオン性親水性基を置換基として有し、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在し、Ｒａは、置換または無置換のアルキル基であり、Ｒｂは、水素原子、置換または無置換のアルキル基であり、Ｒｃは、置換または無置換のアルキル基であり、
ｋは、０＜ｋ＜８を満たす整数であり、ｌは、０＜ｌ＜８を満たす整数であり、ｍは、０≦ｍ＜８を満たす整数であり、ｎは、０≦ｎ＜８を満たす整数であり、かつ、ｋ、ｌ、ｍおよびｎは、４≦ｋ＋ｌ＋ｍ＋ｎ≦８を満たす整数である。
【０１０５】
一般式（３）において、前記置換または無置換のアルキル基は、好ましくは、炭素原子数１〜１２の直鎖、分岐鎖または脂環式アルキル基である。前記アルキル基は、染料の溶解性およびインクの安定性を向上させる観点から、分岐鎖を有するものが好ましく、不斉炭素を有するもの（ラセミ体での使用）が特に好ましい。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。
【０１０６】
一般式（３）において、前記置換アルキル基の置換基としては、例えば、メチル基、エチル基、プロピル基、イソプロピル基、ｓｅｃ−ブチル基、ｔｅｒｔ−ブチル基、２−エチルヘキシル基、２−メチルスルホニルエチル基、３−フェノキシプロピル基、トリフルオロメチル基、シクロペンチル基等の炭素原子数１〜１２の直鎖または分岐鎖アルキル基；炭素原子数７〜１８の直鎖または分岐鎖アラルキル基；炭素原子数２〜１２の直鎖または分岐鎖アルケニル基；炭素原子数２〜１２の直鎖または分岐鎖アルキニル基；炭素原子数３〜１２の直鎖または分岐鎖シクロアルキル基；炭素原子数３〜１２の直鎖または分岐鎖シクロアルケニル基；塩素原子、臭素原子等のハロゲン原子；フェニル基、４−ｔｅｒｔ−ブチルフェニル基、２，４−ジ−ｔｅｒｔ−アミノフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メタンスルホニルエトキシ基等のアルコキシ基；フェノキシ基、２−メチルフェノキシ基、４−ｔｅｒｔ−ブチルフェノキシ基、３−ニトロフェノキシ基、３−ｔｅｒｔ−ブトキシカルバモイルフェノキシ基、３−メトキシカルバモイル基等のアリールオキシ基；アセトアミド基、ベンズアミド基、４−（３−ｔｅｒｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアニリノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔｅｒｔ−オクチルフェニルチオ基、２−カルボキシフェニルチオ基等のアリールチオ基；メトキシカルボニルアミノ基等のアルコキシカルボニルアミノ基；メタンスルホンアミド基、ベンゼンスルホンアミド基、ｐ−トルエンスルホンアミド等のスルホンアミド基；Ｎ−エチルカルバモイル基、Ｎ，Ｎ−ジブチルカルバモイル基等のカルバモイル基；Ｎ−エチルスルファモイル基、Ｎ，Ｎ−ジプロピルスルファモイル基、Ｎ−フェニルスルファモイル基等のスルファモイル基；メタンスルホニル基、オクタンスルホニル基、ベンゼンスルホニル基、トルエンスルホニル基等のスルホニル基；メトキシカルボニル基、ブトキシカルボニル基等のアルコキシカルボニル基；１−フェニルテトラゾール−５−オキシ基、２−テトラヒドロピラニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ等のアゾ基；アセトキシ基等のアシルオキシ基；Ｎ−メチルカルバモイルオキシ基、Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド、Ｎ−フタルイミド等のイミド基；２−ベンゾチアゾリルチオ基、２，４−ジフェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシル基、スルホ基、ホスホノ基、４級アンモニウム基等のイオン性親水性基等があげられる。前記置換アルキルの置換基である前記アルキル基、前記アラルキル基、前記アルケニル基、前記アルキニル基、前記シクロアルキル基およびシクロアルケニル基は、染料の溶解性およびインクの安定性を向上させる観点から、分岐鎖を有するものが好ましく、不斉炭素を有するものが特に好ましい。
【０１０７】
前記フタロシアニン系染料（Ｃ）の好ましい態様としては、例えば、一般式（３）において、Ｒ３１、Ｒ３２、Ｒ３３およびＲ３４が、それぞれ、−ＳＯ２Ｒａであり、Ｒ３１、Ｒ３２、Ｒ３３およびＲ３４がそれぞれ有するＲａのすべてが同一であることはなく、少なくとも一つのＲａが、イオン性親水性基を有する置換アルキル基である態様である。
【０１０８】
前記フタロシアニン系染料（Ｃ）のより好ましい態様としては、例えば、一般式（３）において、ｋは、０＜ｋ＜４を満たす整数であり、ｌは、０＜ｌ＜４を満たす整数であり、ｍは、０≦ｍ＜４を満たす整数であり、ｎは、０≦ｎ＜４を満たす整数であり、かつ、ｋ、ｌ、ｍおよびｎは、ｋ＋ｌ＋ｍ＋ｎ＝４を満たす整数である態様である。
【０１０９】
前記フタロシアニン系染料（Ｃ）の好ましい具体例としては、構造式（３−Ａ）〜（３−Ｅ）で表される化合物があげられる。
【０１１０】
【化１６】
2010100745.tif 000017
【０１１１】
構造式（３−Ａ）で表される化合物は、一般式（３）において、Ｒ３１がリチウムスルホナトプロピルスルホニル基、Ｒ３２がＮ，Ｎ−（ジ（２−ヒドロキシエチル））スルファモイルプロピルスルホニル基であり、ｋが３、ｌが１、ｍおよびｎが共に０である態様である。
【０１１２】
【化１７】
2010100745.tif 000018
【０１１３】
構造式（３−Ｂ）で表される化合物は、一般式（３）において、Ｒ３１がリチウムスルホナトプロピルスルホニル基、Ｒ３２がＮ−（２−ヒドロキシプロピル）スルファモイルプロピルスルホニル基であり、ｋが３、ｌが１、ｍおよびｎが共に０である態様である。
【０１１４】
【化１８】
2010100745.tif 000019
【０１１５】
構造式（３−Ｃ）で表される化合物は、一般式（３）において、Ｒ３１がリチウムスルホナトプロピルスルホニル基、Ｒ３２がリチウムカルボキシラトプロピルスルホニル基、Ｒ３３がＮ−（２−ヒドロキシプロピル）スルファモイルプロピルスルホニル基、Ｒ３４がＮ−（２−ヒドロキシイソプロピル）スルファモイルプロピルスルホニル基であり、ｋ、ｌ、ｍおよびｎが共に１である態様である。
【０１１６】
【化１９】
2010100745.tif 000020
【０１１７】
構造式（３−Ｄ）で表される化合物は、一般式（３）において、Ｒ３１がリチウムスルホナトプロピルスルホニル基、Ｒ３２がＮ−（２−ヒドロキシイソプロピル）スルファモイルプロピルスルホニル基であり、ｋが３、ｌが１、ｍおよびｎが共に０である態様である。
【０１１８】
【化２０】
2010100745.tif 000021
【０１１９】
構造式（３−Ｅ）で表される化合物は、一般式（３）において、Ｒ３１がリチウムスルホナトプロピルスルホニル基、Ｒ３２がＮ−（２−ヒドロキシプロピル）スルファモイルプロピルスルホニル基、Ｒ３３がＮ−（２−ヒドロキシイソプロピル）スルファモイルプロピルスルホニル基であり、ｋが２、ｌが１、ｍが１、ｎが０である態様である。
【０１２０】
また、前記フタロシアニン系染料（Ｃ）は、一般式（３）で表される染料に加えもしくは代えて、Ｃ．Ｉ．ダイレクトブルー１９９、Ｃ．Ｉ．ダイレクトブルー８６およびＣ．Ｉ．ダイレクトブルー３０７の少なくとも一つの染料を含んでもよい。Ｃ．Ｉ．ダイレクトブルー１９９は、例えば、一般式（４）で表される染料である。
【０１２１】
【化２１】
2010100745.tif 000022
【０１２２】
一般式（４）において、
Ｐｃ（Ｃｕ）は、一般式（Ｐｃ）で表される銅フタロシアニン核であり、
置換基−ＳＯ３Ｙおよび−ＳＯ２ＮＨ２は、一般式（Ｐｃ）で表される銅フタロシアニン核中の４つのベンゼン環Ａ、Ｂ、ＣおよびＤのいずれかに存在し、Ｙは、水素イオン、リチウムイオン、ナトリウムイオン、カリウムイオン、アンモニウムイオン等のカウンターイオンである。
【０１２３】
前記シアン染料は、前記フタロシアニン系染料（Ｃ）のみを含んでいてもよいし、さらに前記フタロシアニン系染料（Ｃ）以外のシアン染料を含んでもよい。前記フタロシアニン系染料（Ｃ）以外のシアン染料は、前記フタロシアニン系染料（Ｃ）と同等以上の耐光性を示す染料またはそのような染料の組み合わせであることが好ましい。
【０１２４】
本発明のインクジェット記録用水性ブラックインクにおいて、前記着色剤の総配合量は、前記インク全量に対し、例えば、０．１重量％〜２０重量％であり、好ましくは、０．２重量％〜１５重量％であり、より好ましくは、０．５重量％〜１０重量％である。各着色剤の配合比は、前記条件（ａ）および（ｂ）を満たす範囲内であれば、特に制限されない。
【０１２５】
前記水は、イオン交換水または純水であることが好ましい。前記インク全量に対する前記水の配合量は、例えば、１０重量％〜９０重量％であり、好ましくは、４０重量％〜８０重量％である。前記水の配合量は、例えば、他の成分の残部としてもよい。
【０１２６】
本発明のインクジェット記録用水性ブラックインクは、さらに、インクジェットヘッドのノズル部におけるインクの乾燥を防止する湿潤剤および被記録媒体上での乾燥速度を調整する浸透剤を含むことができる。
【０１２７】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、特に限定されず、例えば、ポリエチレングリコール、ポリプロピレングリコール等があげられる。前記アルキレングリコールは、特に限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。前記湿潤剤は、１種類を単独で用いてもよいし、２種類以上を併用してもよい。
【０１２８】
前記インク全量に対する前記湿潤剤の配合量（湿潤剤割合）は、特に限定されず、例えば、０重量％〜９５重量％であり、好ましくは、１０重量％〜８０重量％であり、より好ましくは、１０重量％〜５０重量％である。
【０１２９】
前記浸透剤は、特に限定されず、例えば、グリコール系エーテルがあげられる。前記グリコール系エーテルは、特に限定されず、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等があげられる。前記浸透剤は、１種類を単独で用いてもよいし、２種類以上を併用してもよい。
【０１３０】
前記インク全量に対する前記浸透剤の配合量（浸透剤割合）は、特に限定されず、例えば、０重量％〜２０重量％である。前記浸透剤割合を前記範囲とすることで、前記水性インクの記録紙等の被記録媒体への浸透性を、より好適なものとできる。前記浸透剤割合は、好ましくは、０．１重量％〜１５重量％であり、より好ましくは、０．５重量％〜１０重量％である。
【０１３１】
本発明のインクジェット記録用水性ブラックインクは、必要に応じて、さらに、従来公知の添加剤を含んでもよい。前記添加剤としては、例えば、界面活性剤、粘度調整剤、表面張力調整剤、防黴剤等があげられる。前記粘度調整剤は、例えば、ポリビニルアルコール、セルロース、水溶性樹脂等があげられる。
【０１３２】
本発明のインクジェット記録用水性ブラックインクは、例えば、前記着色剤および水と、必要に応じて他の添加成分とを、従来公知の方法で均一に混合し、フィルタ等で不溶解物を除去することにより調製できる。
【０１３３】
本発明のインクジェット記録用水性ブラックインクでは、前記染料（Ｙ）、前記染料（Ｍ）および前記フタロシアニン系染料（Ｃ）が、それぞれ、前記（ａ）および（ｂ）の条件を満たすように配合されているため、耐光性に優れるとともに、色相にも優れる。本発明のインクジェット記録用水性ブラックインクを用いて写真光沢紙にＯＤ値が０．４〜０．６となるように記録した場合、例えば、彩度Ｃ＊を１５以下とすることが可能であり、充分に無彩色を表現できる。
【０１３４】
本発明のインクジェット記録用水性ブラックインクは、他の色の水性インクと組み合わせて、インクセットとして用いてもよい。前記インクセットは、水性イエローインク、水性マゼンタインクおよび水性シアンインクからなる群から選択される少なくとも一つの水性インクを含むことが好ましく、前記３色の水性インク全てを含むことが特に好ましい。前記インクセットは、前記３色の水性インクを全て含むことで、フルカラー記録に対応可能である。前記インクセットは、前記３色以外の色の水性インクをさらに含んでもよい。前記３色以外の色の水性インクとしては、例えば、水性レッドインク、水性グリーンインク、水性ブルーインク、染料濃度が低い水性ライトインク（例えば、水性ライトイエローインク、水性ライトマゼンタインク、水性ライトシアンインク、水性ライトブラックインク、水性ライトレッドインク、水性ライトグリーンインク、水性ライトブルーインク）等があげられる。前記水性インクとしては、例えば、従来公知のものを使用できる。前記水性イエローインク、前記水性マゼンタインクおよび前記水性シアンインクは、それぞれ、前記染料（Ｙ）、前記染料（Ｍ）および前記フタロシアニン系染料（Ｃ）を含むことが好ましい。これにより、前記各色の水性インクの耐光性が、本発明の水性ブラックインクと同程度となり、たとえ退色したとしても、画像の色バランス変化が少ないインクセットとすることができる。染料濃度が低い水性ライトイエローインク、水性ライトマゼンタインクおよび水性ライトシアンインクにおいても同様である。前記水性ライトブラックインクにおいては、前記染料（Ｙ）、前記染料（Ｍ）および前記フタロシアニン系染料（Ｃ）が、それぞれ、前記（ａ）および（ｂ）の条件を満たすように配合されていることが好ましい。
【０１３５】
つぎに、本発明のインクカートリッジについて説明する。前述のとおり、本発明のインクカートリッジは、インクジェット記録用水性ブラックインクを含むインクカートリッジであって、前記インクが、本発明のインクジェット記録用水性ブラックインクであることを特徴とする。本発明のインクカートリッジの本体としては、例えば、従来公知のものを使用できる。
【０１３６】
つぎに、本発明のインクジェット記録装置について説明する。本発明のインクジェット記録装置は、インク収容部およびインク吐出手段を含み、前記インク収容部に収容されたインクを前記インク吐出手段によって吐出するインクジェット記録装置であって、前記インク収容部が、本発明のインクカートリッジを含むことを特徴とする。これを除き、本発明のインクジェット記録装置の構成は、例えば、従来公知のインクジェット記録装置と同様であってもよい。
【０１３７】
図１に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。本例のインクジェット記録装置において、インクジェットヘッド３が前記インク吐出手段である。
【０１３８】
前記４つのインクカートリッジ２は、イエロー、マゼンタ、シアンおよびブラックの４色の水性インクを、それぞれ１色ずつ含む。例えば、前記水性ブラックインクを含むインクカートリッジが、本発明のインクカートリッジである。前記インクジェットヘッド３は、記録紙等の被記録媒体Ｐに印字を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【０１３９】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【０１４０】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【０１４１】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の印字がなされる。前記被記録媒体Ｐは、その後、前記インクジェット記録装置１から排紙される。図１においては、前記被記録媒体Ｐの給紙機構及び排紙機構の図示を省略している。
【０１４２】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッド３の回復が図られる。前記吸引された不良インクは、前記インク貯留部１７に貯蔵される。
【０１４３】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、印字が終了すると前記リセット位置に戻される前記インクジェットヘッド３の複数のノズルを覆うものである。
【０１４４】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【実施例】
【０１４５】
つぎに、本発明の実施例について比較例と併せて説明する。なお、本発明は、下記の実施例および比較例によって限定および制限されない。
【０１４６】
［実施例１〜５および比較例１〜７］
インク組成成分（表１）を、均一に混合した後、得られた混合物を、東洋濾紙（株）製の親水性ポリテトラフルオロエチレン（ＰＴＦＥ）タイプメンブレンフィルタ（孔径０．２μｍ）を用いてろ過することで、実施例１〜５および比較例１〜７のインクジェット記録用水性ブラックインクを得た。なお、表１において、イエロー染料（１−Ａ）および（１−Ｂ）は、それぞれ、構造式（１−Ａ）および（１−Ｂ）で表される化合物であり、マゼンタ染料（２−Ａ）および（２−Ｂ）は、それぞれ、構造式（２−Ａ）および（２−Ｂ）で表される化合物であり、シアン染料（３−Ａ）〜（３−Ｃ）は、それぞれ、構造式（３−Ａ）〜（３−Ｃ）で表される化合物である。
【０１４７】
実施例および比較例の水性ブラックインクについて、（ｉ）耐光性評価、（ｉｉ）色相評価および（ｉｉｉ）総合評価を、下記の方法により行った。なお、（ｉ）耐光性評価および（ｉｉ）色相評価用のサンプルは、つぎのようにして準備した。
【０１４８】
すなわち、まず、実施例および比較例の水性ブラックインクを、インクカートリッジに充填した。ついで、前記インクカートリッジを、ブラザー工業（株）製のインクジェットプリンタ搭載デジタル複合機ＤＣＰ−３５０Ｃに装着した。つぎに、ブラザー工業（株）製の写真光沢紙ＢＰ６１ＧＬＡに前記水性ブラックインクのグラデーションサンプルをプリントし、初期ＯＤ値０．５の評価パッチを得た。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。
【０１４９】
（ｉ）耐光性評価
スガ試験機（株）製の強エネルギーキセノンウェザーメーターＳＣ７５０―ＷＮを用いて、槽内温度２５℃、槽内相対湿度５０％、照度９３ｋｌｘの条件下、前記グラデーションサンプルにキセノンランプ光を１００時間照射した。ついで、前記照射後の前記評価パッチのＯＤ値を、前述と同様にして、測定した。つぎに、下記式（Ｉ）によりＯＤ値減少率（％）を求め、耐光性を、下記評価基準に従って評価した。なお、前記ＯＤ値減少率が小さいほど、画質の劣化が少なく、耐光性に優れていたこととなる。
ＯＤ値減少率（％）＝｛（Ｘ−Ｙ）／Ｘ｝×１００      ・・・（Ｉ）
Ｘ：０．５（初期ＯＤ値）
Ｙ：照射後のＯＤ値
【０１５０】
耐光性評価  評価基準
Ｇ  ：ＯＤ値減少率が１０％未満であり、実用上問題がなかった。
ＮＧ：ＯＤ値減少率が１０％以上であり、実用上問題があった。
【０１５１】
（ｉｉ）色相評価
前記評価パッチの彩度Ｃ＊を、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定し、色相を、下記評価基準に従って評価した。
【０１５２】
色相評価  評価基準
Ｇ  ：彩度Ｃ＊が１５以下であり、無彩色の表現が充分であった。
ＮＧ：彩度Ｃ＊が１５を超え、充分に無彩色の表現ができなかった。
【０１５３】
（ｉｉｉ）総合評価
実施例および比較例の水性ブラックインクについて、前記（ｉ）および（ｉｉ）の結果から、下記評価基準に従って総合評価を行った。
【０１５４】
総合評価  評価基準
Ｇ  ：（ｉ）および（ｉｉ）の双方の評価結果が、Ｇであった。
ＮＧ：（ｉ）および（ｉｉ）の一方の評価結果が、ＮＧであった。
【０１５５】
実施例および比較例のインク組成および評価結果を表１に示す。
【０１５６】
【表１】
2010100745.tif 000023
【０１５７】
表１に示すとおり、実施例１〜５の水性ブラックインクは、耐光性評価および色相評価の双方の結果が、良好であった。一方、（Ｙ＋Ｍ）：Ｃ＝１：２であり、前記条件（ｂ）を満たさない比較例１の水性ブラックインクは、色相評価の結果が劣っていた。同様に、（Ｙ＋Ｍ）：Ｃ＝３：１であり、前記条件（ｂ）を満たさない比較例２の水性ブラックインクも、色相評価の結果が劣っていた。また、Ｙ：Ｍ＝１：２であり、前記条件（ａ）を満たさない比較例３の水性ブラックインクは、色相評価の結果が劣っていた。同様に、Ｙ：Ｍ＝２：１であり、前記条件（ａ）を満たさない比較例４の水性ブラックインクも、色相評価の結果が劣っていた。そして、前記染料（Ｙ）、前記染料（Ｍ）および前記染料（Ｃ）を用いず、Ｃ．Ｉ．フードブラック２を用いた比較例５の水性ブラックインクは、耐光性評価の結果が劣っていた。さらに、前記染料（Ｙ）を用いず、Ｃ．Ｉ．アシッドイエロー２３を用いた比較例６の水性ブラックインクは、耐光性評価の結果が劣っていた。同様に、前記染料（Ｍ）を用いず、Ｃ．Ｉ．アシッドレッド２８９を用いた比較例７の水性ブラックインクも、耐光性評価の結果が劣っていた。
【産業上の利用可能性】
【０１５８】
以上のように、本発明のインクジェット記録用水性ブラックインクは、被記録媒体のインク受容量を超えることなく、耐光性に優れた無彩色を記録可能なものである。本発明のインクジェット記録用水性ブラックインクの用途は、限定されず、各種のインクジェット記録に広く適用可能である。
【図面の簡単な説明】
【０１５９】
【図１】図１は、本発明のインクジェット記録装置の構成の一例を示す概略斜視図である。
【符号の説明】
【０１６０】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
【図１】
2010100745.tif 000028